(57)【特許請求の範囲】
【請求項１】
リードピンが外部に出ている光素子ケースと光ファイバと光コネクタを繋いだ光モジュールを収容するための容器であって、光素子ケースを収容する凹部を持つ少なくとも一部に導電性を有するプラスチック板で作製したインナーケースと、インナーケースを入れる中央凹部と、光ファイバを巻き付けるため中央凹部を囲むように形成した光コネクタの幅にほぼ等しい幅の円環状の周回溝とを有しプラスチック板で製作したアウターケースとを含み、光素子ケースをインナーケースに嵌め込み、光ファイバを周回溝に巻き廻し、光コネクタを周回溝の任意の位置に押し込んで弾性的に固定するようにしたことを特徴とする梱包ケース。 
【請求項２】
アウターケースは周回溝を挟む内輪部と外縁部を持ち周回溝を挟む内輪外周と外縁内周が平滑であることを特徴とする請求項１に記載の梱包ケース。 
【請求項３】
アウターケースの周回溝を挟む内輪外周と外縁内周に縦方向の凹凸である内円弧溝と外円弧溝を形成したことを特徴とする請求項１に記載の梱包ケース。 
【請求項４】
光コネクタの側面に内円弧溝と外円弧溝に嵌まり込む凸条を設けたことを特徴とする請求項３に記載の梱包ケース。 
【請求項５】
アウターケースの周回溝を挟む内輪外周と外縁内周に縦方向の凹凸である内円弧柱と外円弧柱を形成したことを特徴とする請求項１に記載の梱包ケース。
【請求項６】
光コネクタの側面に内円弧柱と外円弧柱に嵌まり込む凹条を設けたことを特徴とする請求項５に記載の梱包ケース。
【請求項７】
インナーケースの光素子ケースを収容する凹部が最大で３つの光素子を収容できる十文字型の溝であることを特徴とする請求項１〜４の何れかに記載の梱包ケース。 
【発明の詳細な説明】
【技術分野】
【０００１】
本発明は、受光素子、発光素子又は両方と光ファイバと光コネクタよりなる光モジュール用梱包ケースに関する。受光素子・光ファイバ・光コネクタからなるものは光受信モジュールと言う。発光素子・光ファイバ・光コネクタからなるものは光送信モジュールと言う。発光素子・受光素子・光ファイバ・光コネクタからなるものは光送受信モジュールと呼ぶ。本発明はこれらの３種類のモジュールを全て含む。それらをここでは簡単に光モジュールと呼ぶことにする。構成要素は発光素子／受光素子、光コネクタとそれらを繋ぐ光ファイバである。  
発光素子／受光素子は金属ケースに収納され、金属ケースからはリードピンが外部に突出する。金属ケースの前方から光ファイバが延びている。光コネクタの一方の面は光ファイバの他端に繋がっている。光コネクタの他面には光ファイバの端部が露呈している。端面にはガイドピン又はガイドピンの入るべき穴がある。  
光ファイバが長いので光モジュールを収納するケースには光ファイバを巻き付けて収容するようにしなければならない。光素子（発光素子／受光素子）の部分は横方向にリードピンが出ているので、それにあった凹部を設ける必要がある。  
また光ファイバの長さが違う光モジュールもあって、それらの長さの違う光ファイバのモジュールも共通に保持できるようなケースが望まれる。 
【背景技術】
【０００２】
特許文献１は発泡ポリプロピレンの板３枚と、四角枠と、発泡ポリプロピレンの円筒状部材２つとダンボール形状に加工したポリプロピレンの底板よりなる合計７部材を重ね合わせたプラグ・光ファイバ・光スイッチ・光ファイバ・プラグよりなる構造物の収容ケースを提案している。底板と、丸穴２つを持つ発泡板と、丸穴２つと共通接線切り込み線を有する発泡板２枚を重ねて接着し枠を付ける。縦重ね４部材からなる容器を作っておく。固定すべき光ファイバ構造物は中間に光スイッチがあり、そこから両方へ光ファイバが延びている。光ファイバの終端には光コネクタが付いている。 
【０００３】
これは受光素子、発光素子などを含んでいないので、光モジュールではない。光ファイバの中間にスイッチがあるというものである。２枚の発泡ポリプロピレン板には２つの円穴を左右に穿ってある。円筒状部材の上には光コネクタを埋め込み固定するような凹部が形成されている。二つの円筒状部材の頭の凹部に光コネクタを埋め込み、円筒状部材の周面に光ファイバを巻き付ける。その円筒状部材は上面に光コネクタを固定し、側面に光ファイバを巻き付けた状態で穴に差し込んで固定する。さらに蓋板を枠に差し入れて蓋を固定する。 
【０００４】
特許文献２は、光ファイバの両端にプラグを付けた光ファイバアッセンブリを収容するためのケースを提案している。板状のプラスチック成形品であって、中央に円形の光ファイバを巻き付ける中央ファイバ凹部があり、４隅にプラグを収容するプラグ凹部を設ける。プラグ凹部と、光ファイバ凹部は円の接線にあたる溝によって結合されている。対角線にあるプラグ凹部は同時に使用されることはない。４隅のプラグ凹部のどれかにプラグを差し込み、光ファイバを中央の凹部の壁に巻き付け、終端のプラグを２つの可能性のあるプラグ凹部に差し込み固定する。さらにプラスチック板を成形した蓋板をして封じる。 
【０００５】
これは薄いプラスチックの板を成形したものであり、特許文献１のように発泡プラスチック板を４枚も重ねたものより簡単である。４つのプラグ凹部の内３つが使用可能である。あるプラグ凹部に始端プラグを入れると、向きが反対になるから対角線方向の凹部に終端プラグが入る可能性はない。しかし隣接凹部の２つの何れにも終端プラグを入れることができる。光ファイバの長さが変わっても終端プラグをどちらかの凹部へ挿入固定できる、というのが利点である。 
【０００６】
【特許文献１】特開２００１−１２２３３６
【特許文献２】特開２００６−０９１８３１
【発明の開示】
【発明が解決しようとする課題】
【０００７】
特許文献１は、光ファイバ・光コネクタを含む部品を４枚重ねの発泡プラスチック板を組み合わせた容器に収容することを提案している。この容器は構造が複雑であって、材料費も高く作製に手間がかかり高コストになるという欠点がある。さらにプラグを両端に持つ光ファイバを二つの円筒部に巻き付けるから、ケースの寸法が２倍程度必要になる。光ファイバは許容最小曲げ半径（例えば３０ｍｍ）以下にしてはいけない。円筒部の半径は光ファイバの許容最小曲げ半径以上である。そのような円筒部が左右に二つある。 
【０００８】
従って特許文献１の容器は面積が広くなり過ぎる。過大面積の円筒部を二つも使うので容器面積を縮減できない。特許文献１の容器は発泡プラスチックを使うので中実体である。そのため容器の重量が大きい。多数の容器を積み重ねた場合、容器が横滑りして位置が定まらない。両端がプラグである光ファイバを収容できるだけである。光素子を光ファイバの一端に持つ光モジュールの容器とすることはできない。 
【０００９】
特許文献２は、両端にプラグを持つ光ファイバを中央の円筒部に円環状に巻き付けて、両端のプラグを４隅の凹部の二つに押し込んだものである。光ファイバの長さが一定であると、どの二つの凹部にプラグを差し込むべきかということが決まる。円周Ｋの半分の整数倍だけ異なる長さの光ファイバを収容できる。しかし光ファイバの長さが円周Ｋの半分の整数倍の差でない場合は、光ファイバが少し余ってくる。つまり光ファイバの一部に緩みができる。任意の長さの光ファイバを持つものには対応できない。 
【課題を解決するための手段】
【００１０】
本発明は、光素子ケースと光ファイバと光コネクタを繋いだ光モジュールを収容するための梱包ケースであって、光素子ケースを収容する凹部を持つ少なくとも一部に導電性のプラスチック板製のインナーケースと、インナーケースを入れる中央凹部と、光ファイバを巻き付けるため中央凹部を囲むように形成した光コネクタの幅にほぼ等しい幅の円環状の周回溝とを有しプラスチック板で製作したアウターケースとを含み、光コネクタを保持板で挟み或いは保持板を挟まず、光コネクタを周回溝に押し込んで弾性的に固定するようにしたものである。 
光コネクタの幅にほぼ等しい幅の周回溝の途中に、光コネクタを嵌合固定するようにしているので、光ファイバの長さが如何なるものであってもよい。
【００１１】
周回溝の左右の内輪外周と外縁内周は平滑であっても良い。平滑であると、剛性や強度が不足し摩擦力も足りないという場合もある。そこで周回溝の左右の内輪外周と外縁内周には凹凸を設けて光コネクタが滑らないようにしても良い。プラスチック板はそのままでは強度や剛性が弱いので、凹凸を作ることによって剛性や強度を高めることができる。また光コネクタを保持する摩擦力も増加する。 
【００１２】
保持板は上から光コネクタに挿入するような上跨型でも良い。保持板は下から光コネクタに挿入するような下懸架型でも良い。保持板には剛性、強度、摩擦力を増やすために凹凸や彎曲を設けても良い。 
【００１３】
光素子・光ファイバ・光コネクタよりなる光モジュールを、光素子の部分は導電性を持つプラスチックからなるインナーケースに収容している。光素子からはリードピンが出ており、インピーダンスが高いので、僅かな電荷で帯電して高圧になり、絶縁破壊が起こる可能性がある。本発明は導電性のインナーケースに光素子を入れるので、リードピンとケースが同電位になり素子が破壊される恐れがない。 
【００１４】
光ファイバを巻き付ける部分は、光ファイバの許容曲げ半径より大きくなくてはならない。光ファイバ巻き付け部は直径が大きくてかなりの面積を要する。本発明は、光素子を中央凹部に設置し、その周りに光ファイバを巻き付けるようにしている。本発明は広い中央部の面積を無駄にせず有効利用している。この点で特許文献２よりも優れている。
【発明の効果】
【００１５】
本発明は、光コネクタの幅にほぼ等しい幅の周回溝の途中に、光コネクタを嵌合固定するようにしている。光ファイバを巻き廻した周回溝の任意の部位に固定することができる。光ファイバの長さが如何なるものであっても良い。これが最も優れた効果である。光コネクタを光ファイバとは異なる部位に保持するようにした場合、このような任意長さの光ファイバを持つ光モジュールを巧く収納することはできない。光ファイバを巻き廻す周回溝の途中に光コネクタを固定するからこのようなことが可能になる。 
【００１６】
光コネクタ幅と周回溝の幅がほぼ同一であって、光コネクタを周回溝へ押し込んだだけでしっかり固定できる場合もある。或いはまた弾性を持つ保持板を光コネクタと周回溝の間に介在させることにより、周回溝と光コネクタの幅の差が多少大きくても光コネクタを周回溝へしっかり固定することができる。 
光モジュールを収納したケースは縦に幾つも重ねることができる。重ねると一体化し横滑りしないので、運搬、保管等に便利である。  
【実施例１】
【００１７】
［実施例１（周回溝平滑面壁、上跨型保持板）］ 
本発明の光モジュール用のケースは、光ファイバを巻き付けるべき周回溝と、中央凹部を設けたアウターケースと、光素子を収容するインナーケースとよりなり、アウターケース中央凹部にインナーケースを挿入して、２つのケースを一体化したものである。アウターケースとインナーケースを合わせると１枚の板状となる。縁が斜めに開いているので、そのケースは同等のものを上下に積み重ねることができるようになっている。 
【００１８】
図１、２、３、４によって実施例１に係るケースを説明する。図１は全体の平面図である。図２はアウターケースだけの斜視図、図３はインナーケースに光モジュールの光素子部分を収容したものの斜視図である。図４は光コネクタを周回溝へ押し込んで固定した状態の平面図である。 
【００１９】
プラスチック成形品であるアウターケース２は、上から見下ろせば正方形状であるが表面に上下の凹凸を持つ。ポリスチレン、ポリエチレンテレフタラート（ＰＥＴ）などのプラスチック成形によって一挙に作る。図２はアウターケース２の全体をよく表している。アウターケース２の中間部には円環状の周回溝３が形成される。これは光ファイバを巻き付けて保持する溝である。光ファイバは過度の曲率で曲げてはいけない。光ファイバの許容最小半径よりも大きい半径を持つ周回溝３である。許容最小半径は例えば３０ｍｍの程度であるから、周回溝３の半径は３０ｍｍより大きい。例えば５０ｍｍ〜８０ｍｍ程度である。中央に中央凹部４を持つ。中央凹部４は光素子を収容したインナーケースを納める部分である。中央凹部４の中央内壁４０はほぼ垂直であるが上部が僅かに広くなっている。中央凹部４の両側に半円形の指入れ穴４２がある。作業者がインナーケースを親指と人差し指で持って中央凹部４へ入れる時、或いは出す時にここへ指を入れてインナーケースを掴む。 
【００２０】
光素子を納める部分が光ファイバを納める周回溝３の中にあるから、周回溝の半径を大きくする余裕ができる。光素子は光コネクタよりも広い面積を必要とし、それが中央にあって光ファイバを周囲に巻き付けるという配置は、光ファイバの曲げ半径を大きくすることができ有利である。凹部といっても前述の特許文献１のように発泡プラスチックの板をくり貫いたものではない。そうでなくて金型にプラスチック材料を流し込んで固めることによって、ほぼ一様な厚みで凹部や凸部のある板に造形するのである。 
【００２１】
周回溝３と中央凹部４の間は隆起した内輪部６となっている。周回溝３の外側は隆起した外縁部５となっている。外縁部５は正方形状の外殻を持つ。外縁部５の外側は上下折曲部５０があり、その下端に四角形の外周片７が外向けに形成される。上下折り曲げ部５０は下側が少し開いた形状である。そのため同じケースを上下に積み重ねることができるようになっている。図１３にそのような積み重ねた状態を示す。一番上には蓋板２９を被せる。 
【００２２】
周回溝３の横幅は、光コネクタ３４の幅とほぼ同じである。光コネクタに保持板を付ける場合、周回溝３は光コネクタ幅より少し大きい。プラスチック薄板で成形するから弾性があり、周回溝は適当に変形して光コネクタを保持できるようになっている。周回溝３には接線方向の出口のようなものはない。周回溝３は円環状に閉じている。この周回溝３は外側が外縁部５に続く外縁内周３９によって仕切られる。内側は内輪部６に続く内輪外周３８によって仕切られている。上下折曲部５０の高さの方が、内輪外周３８、外縁内周３９よりも高い。そのような高低差があり上下折曲部５０は下広がりであるから、同じ形状のアウターケース２を上下折曲部５０で内外に接するよう幾つも上下に重ねることができる。 
【００２３】
中央凹部４には光素子部を保持したインナーケース８を嵌め込む。図３において開かれた状態のインナーケース８に光素子ケース３３を置いた状態を示している。インナーケース８は、下片と蓋片からなり両片を組み合わせられるような形状になっている。下片は貫通凹部９、左凹部１０、後凹部１１、右凹部１２よりなる十字型の凹部を持っている。十字型凹部９、１０、１１、１２には光モジュール３０の光素子ケース３３の部分を納める。 
【００２４】
光素子ケース３３は幾つかの光素子（発光素子／受光素子、ＬＤ、ＰＤ）を含む。この例では光素子ケース３３は、中光素子３５、右光素子３６、左光素子３７の３つの光素子を持つ。例えば中光素子３５はＬＤ、右光素子３６、左光素子３７は受信波長の異なるＰＤである場合がある。ＬＤ、ＰＤ共に一つずつの光送受信モジュールの場合は、左右素子３６、３７の何れかが存在しない。光受信モジュールの場合は、光素子は一つのＰＤだけである。光送信モジュールの場合ＬＤだけが光素子となる。 その場合は左右光素子３６、３７が存在せず、光素子ケースが直線状になるから十文字の溝は不要である。本発明は光素子が１、２、３個のいずれであっても利用できる汎用型を目指すので、十文字の溝をインナーケース８の上に形成している。 
【００２５】
光素子ケース３３の内部にはＷＤＭ（波長分波器）、レンズなどを設けている。光素子のステムから複数のリードピンが外部へ出ている。この場合も光素子３５、３６、３７からリードピンが出ている。リードピンも含めて左凹部１０、後凹部１１、右凹部１２に光素子ケースを納めることができる。インナーケース８の下片は折れ片１３を介して蓋片１４と繋がっている。蓋片１４には側周片１５があって下片にぴったり嵌まり込むようになっている。光素子ケース３３の前方から光ファイバ３２が出ている。貫通凹部９から光ファイバ３２が外部へ出る。光ファイバ３２の終端には光コネクタ３４がついている。光コネクタ３４前面には光ファイバの終端が露呈している。光ファイバ数は１芯、２芯、４芯…など任意である。蓋片１４を閉じると、蓋片１４が光素子ケース３３を覆う。枠１５がインナーケースの隆起部側方を押さえるので一体化する。一体化したインナーケース８は正方形状である。インナーケース８から光ファイバ３２と光コネクタ３４だけが外部に出た形状となる。 
【００２６】
インナーケース８は導電性のプラスチックで作る。光素子ケースは金属であるし光素子の底から複数のピンが出ている。もしも絶縁体で覆うと何らかの理由で電荷が発生すると消えないし、高電圧になるので放電が起こって光素子の接合を破壊する恐れがある。導電性のプラスチックで光素子ケースやリードピンを覆うことによって、これらのピンやケースを同電位にする。それによって放電によって光素子が破壊されるのを防ぐ。インナーケースの全体を導電性プラスチックで作っても良い。或いは、ポリエステル、ＰＥＴの基材の上に導電性プラスチックをラミネートしたものであっても良い。 
導電性プラスチック部分はリサイクルがきかず、廃棄処分になる場合が多い為、出来る限り最小化し、省資源化を図ることが望まれる。
【００２７】
インナーケース８を、アウターケース２の中央凹部４に嵌め込む。インナーケース８の外周と、中央凹部４の内周部の寸法はほぼ同一なので、嵌め込むだけでインナーケース８を仮固定できる。光ファイバ３２を中央凹部４の前方開口から取り出し、内輪部６の外周３８に巻き付ける。光ファイバ３２の長さはものによって違う。光コネクタ３４を残して図１のような状態になる。さらに弾力性があって光コネクタ３４を弾性によって保持できる保持片２０を光コネクタに嵌め込む。保持片２０はコの字型の断面を持つ弾力片部材であってプラスチック薄板を成形する。 
【００２８】
保持片２０は、光コネクタ上面とほぼ同じ寸法を持つ平らな上片２２、それに続く左右の内縦片２３、その下端に続く上下彎曲部２４、それに続く左右の外縦片２５、２５を有する。外縦片２５にはいくつかの縦凸条２６、２６が等間隔に設けられてある。下方が開口部２７になっている。自由状態で左右内縦片２３、２３の間隔が光コネクタ３４の幅より狭い。自由状態で左右外縦片２５、２５の間隔は周回溝３の内外径差より大きい。上片２２の後方は引っ張り出すための手がかりとなる引き出し片２８となっている。光コネクタ３４に保持片２０を付けるには、保持片２０の内縦片２３、２３を少し開いて光コネクタ３４に押し付ける。左右の内縦片２３、２３は光コネクタ３４の側面を挟み込む。上片２２は光コネクタ３４の上面に接触する。保持片２０を被せた光コネクタ３４をアウターケース２の周回溝３の中へ押し込む。保持片２０の縦凸条２６、２６が光コネクタ３４側面を強く挟み込む。彎曲部２４の弾性によって縦凸条２６、２６が周回溝３の内輪外周３８、外縁内周３９に強く押される。 
【００２９】
保持片２０付き光コネクタ３４をアウターケース２に取り付けた状態の平面図を図４に示す。周回溝３の内輪外周３８、外縁内周３９が平滑曲面であるが、保持片２０の弾力性で周回溝３の内輪外周３８、外縁内周３９と保持片２０の間には強い摩擦力が発生する。だから光コネクタ３４は嵌め込んだ箇所に安定して固定される。光ファイバの長さＬがいかなるものであっても、光コネクタを周回溝３のいずれかの箇所にしっかりと固定することができる。光ファイバ長さの多様性に対応して光コネクタの固定位置を周回溝３の中で連続的に変えることができる。 
【００３０】
アウターケース２の中に平面的に光モジュールを収容することができる。アウターケース２の上下折曲部５０が下広がりなのでそのようなアウターケース２を幾つも積み重ねることができる。図１３の通りである。上下折曲部５０の高さが周回溝３の内外の内輪外周３８、外縁内周３９の高さより大きいのでこの差が重ね代となる。 
【００３１】
光ファイバを巻き付ける内輪部６の内輪外周３８は、光ファイバの許容曲げ半径よりも大きくなくてはならない。だから内輪部６は広い空間を仕切る。本発明はそのような広い空間を光素子の収納空間として有効利用する。広い中央部の空間を無駄にすることなく光素子の収納場所として巧妙に利用する。 
【００３２】
光素子を仮固定するインナーケース８は、光ファイバの出口である貫通凹部９の他に３つの凹部１０、１１、１２を有する。ここへＬＤ、ＬＥＤ、ＰＤなどの後背部とリードピンを収容する。最大３つの光素子まで収納することができる。ＰＤ一つの受光モジュール、ＬＤ一つの光送信モジュール、ＰＤとＬＤが一つずつの送受信モジュール、ＬＤ一つとＰＤ二つの送受信モジュール或いはＬＤ２つとＰＤ一つの送受信モジュールに本発明を適用することができる。 
【実施例２】
【００３３】
［実施例２（内輪外周と外縁内周に周期的な凹部を配置したアウターケース）］ 
実施例１のアウターケースは周回溝３の内外壁３８、３９が平滑であるから、振動などによって保持片２０が少し後退して光ファイバが緩むという可能性がある。実施例２はその点に工夫を加えた。図５、図６に示すように周回溝３の内輪外周３８と外縁内周３９に一定間隔で円弧溝状の凹部を設けている。図５は全体図であり、図６はアウターケースの斜視図である。図７はアウターケースの平面図である。 
【００３４】
図５のように中央凹部４には光素子ケース３３を収納したインナーケース８が嵌め込んである。光ファイバ３２は周回溝３に巻き付けてある。終端の光コネクタ３４には保持片２０を被せて、それを周回溝へ上から差し込んである。 
【００３５】
アウターケース２は中間に円環状の周回溝３があり、周回溝３の内部に円形の内輪部６、外部に外縁部５がある。中央に中央凹部４がある。外縁部５の外側の上下折曲部５０は下広がり帯状部分である。その脚部が枠状の外周片７である。 
【００３６】
周回溝３の内輪外周３８には一定の間隔をおいて内円弧溝４３を形成する。周回溝３の外縁内周３９には外円弧溝４４を形成する。このようにすると周回溝３に取っ掛かりができる。内輪部６の開口部の光ファイバを取り出す部分の近くには内円弧溝４３、外円弧溝４４を設けることができない。 
【００３７】
保持片２０は光コネクタ３４に嵌め込んで、周回溝３の適当な箇所に光コネクタ３４を固定するためのものである。保持片２０は実施例１と同様な構造をしている。保持片２０は上片２２、内縦片２３、彎曲部２４、外縦片２５、縦凸条２６、縦凹状２７、引き出し片２８を有する。光コネクタ３４に保持片２０を上から被せてそれを内輪部６と外縁部５の間の周回溝３に差し込む。保持片２０の内側の縦凸条２６が内輪外周３８に一定間隔で設けた内円弧溝４３に嵌まり込む。保持片２０の外側の縦凸条２６が、外縁内周３９の外円弧溝４４に嵌まり込む。縦凸条２６と、内、外円弧溝４３、４４の嵌合によって光コネクタが固定される。そのようにすれば光コネクタ３４の位置が動くというようなことがない。 
【実施例３】
【００３８】
［実施例３（下から押し込む保持片で光コネクタを固定する）］ 
実施例１、２は、光コネクタの上から被せて弾性的に光コネクタを仮保持するような保持片を用いていた。保持片は光コネクタを下から押し込んで光コネクタを把持するようにしても良い。また縦凸条を省くこともできる。それでも保持片とアウターケースの弾性によって光コネクタを定位置に保持することができる。 
【００３９】
全体図は実施例２と良く似ているので省略する。図８は保持片６０によって光コネクタ３４を仮止めした状態を示す。この光コネクタ３４は丸型の光コネクタであるが、角型の光コネクタであっても良い。上が開口した保持片６０は、下側の彎曲把持部６３とその上に続く開き舌片６２よりなる。開き舌片６２は光コネクタ３４が入りやすいように上端が外側に少し折り返してある。保持片６０の上方に開口部がある。光コネクタ３４と保持片６０は下側では密に接触している。内外円弧溝４３、４４のようなものもない。より構造が単純であり低コストになり得る。 
【００４０】
実施例２の図６のように、アウターケース２の内輪外周３８と外縁内周３９に断面が高さ方向に一様な内円弧溝４３、外円弧溝４４を縦に設けた周回溝３を持つようにしても良い。それはもちろんである。 
【００４１】
しかしここでは上開口型の保持片６０により適した形状の凹凸を持つ光ファイバ周回溝を説明する。図９は周回溝３に、保持片付き光コネクタを挿入固定した状態の一部の斜視図である。周回溝３の両側の内輪外周３８、外縁内周３９に、断面が一様な凹凸でなく、上部でより内側へ深く突出した突起が設けられる。内輪外周３８には一定間隔で内円錐溝４６が形成される。外縁内周３９には一定間隔で外円錐溝４７が形成される。これらは間隙が上方で狭くなるので光コネクタを保持する力が大きい。光コネクタ３４を保持片６０で挟み、開き舌片６２を狭く押さえて内輪外周３８と外縁内周３９の間に差し込む。弾力があるので開き舌片６２が開く。開き舌片６２は斜めに開くが内円錐溝４６、外円錐溝４７があるので光コネクタが上方へ抜けない。保持片６０・光コネクタ３４の周回溝での位置は任意である。光ファイバの長さが変わっても一向に差し支えない。どのような長さの光ファイバを持つ光モジュールにも対応することができるのである。 
【実施例４】
【００４２】
［実施例４（保持片を用いない場合、凹凸を有する内外周面）］ 
これまで述べた例では弾力性のある保持片で光コネクタを一旦挟んで、それをアウターケース２の周回溝３に差し込んで固定していた。保持片は必須というわけではない。光コネクタの寸法が適当に大きければ、光コネクタを直接に周回溝３に差し込んで固定するようにできる。図１０にそのような実施例を示す。光コネクタ３４の左右の側面が内輪外周３８と外縁内周３９の間に挟まれている。外円弧溝４４、内円弧溝４３は光コネクタ３４の円周方向の動きを制限するから光コネクタ３４は振動や衝撃によって簡単に動かない。 図１５にそのような他の実施例を示す。光コネクタ３４の左右の側面が内輪外周３８と外縁内周３９の間に挟まれている。外円弧柱４８、内円弧柱４５は光コネクタ３４の円周方向の動きを制限するから光コネクタ３４は振動や衝撃によって簡単に動かない。
【実施例５】
【００４３】
［実施例５（保持片を用いない場合、平滑面を有する内外周面）］ 
保持片のない場合であっても図１、２のアウターケースのように平滑面である内輪外周３８、外縁内周３９を持つ周回溝３に光コネクタを直接に仮固定することができる。図１１にそのような例を示す。光コネクタ３４の左右の側面が平滑な内輪外周３８と外縁内周３９の間に挟まれている。 
【実施例６】
【００４４】
［実施例６（保持片を用いない場合、光コネクタが凸条を有する形状）］ 
光コネクタ３４が左右側面に凸条６８、６９を持つようにする。すると保持片がなくても、凸条６８、６９を周回溝３の内輪外周３８、外縁内周３９の内円弧溝４３、外円弧溝４４に差し込むことによって光コネクタの円周方向の滑りを防ぐことができる。図１２にそのような例を示す。 
【実施例７】
【００４５】
［実施例７（保持片を用いない場合、光コネクタが凹条を有する形状）］
光コネクタが左右側面に凹条７０、７２を持つようにする。すると保持片がなくても、凹条７０、７２を周回溝３の内輪外周３８、外縁内周３９の内円弧柱４５、外円弧柱４８に差し込むことによって光コネクタの円周方向の滑りを防ぐことができる。図１４にそのような例を示す。
【００４６】
上記において、本発明の実施の形態および実施例について説明を行ったが、上記に開示された本発明の実施の形態および実施例は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【図面の簡単な説明】
【００４７】
【図１】光コネクタに保持片を付けアウターケースの平滑な周回溝に固定するようにした実施例１の保持片付き光コネクタを周回溝に押し込む直前の状態を示す平面図。
【００４８】
【図２】光コネクタを固定すべき周回溝が平滑な内輪外周と外縁内周を持つ実施例１のアウターケースの斜視図。
【００４９】
【図３】インナーケースの十字型の凹部に光モジュールの光素子ケースを挿入した状態の斜視図。
【００５０】
【図４】実施例１においてインナーケースをアウターケースの中央凹部に差し込み光ファイバを内輪外周３８に巻き付けて光コネクタに保持片を付け周回溝へ押し込んだ状態のケース全体の平面図。
【００５１】
【図５】光コネクタを固定すべき周回溝の内輪外周と外縁内周に円弧状凹部が縦に形成されたアウターケースを有する実施例２のケースに光モジュールを収容した状態の平面図。
【００５２】
【図６】光コネクタを固定すべき周回溝の内輪外周と外縁内周に円弧状凹部が縦に形成された実施例２のアウターケースの斜視図。
【００５３】
【図７】周回溝の内輪外周と外縁内周に円弧状凹部が縦に形成された実施例２のアウターケースの平面図。
【００５４】
【図８】下から上へと差し込む保持片で光コネクタを保持し、それをアウターケースの周回溝に挟みこむようにした実施例３の保持片と光コネクタの組み合わせを示す斜視図。
【００５５】
【図９】実施例３において下から上へと差し込む保持片で光コネクタを保持しそれをアウターケースの周回溝に挟んだ状態の斜視図。
【００５６】
【図１０】保持片を用いず光コネクタを直接にアウターケースの凹凸付きの周回溝へ押し込んで固定するようにした実施例４の斜視図。
【００５７】
【図１１】保持片を用いず光コネクタを直接にアウターケースの平滑面の周回溝へ押し込んで固定するようにした実施例４の斜視図。
【００５８】
【図１２】保持片を用いず凸条を持つ光コネクタを直接にアウターケースの凹凸付きの周回溝へ押し込んで固定するようにした実施例５の全体平面図。
【００５９】
【図１３】ケースに光モジュールを収容したものを縦に積み重ねた状態を示す斜視図。
【００６０】
【図１４】保持片を用いず凹条を持つ光コネクタを直接にアウターケースの凹凸付きの周回溝へ押し込んで固定するようにした実施例６の全体平面図。
【００６１】
【図１５】保持片を用いず光コネクタを直接にアウターケースの凹凸付きの周回溝へ押し込んで固定するようにした他の実施例４の斜視図。
【符号の説明】
【００６２】
２  アウターケース   
３  周回溝   
４  中央凹部   
５  外縁部   
６  内輪部   
７  外周片   
８  インナーケース   
９  貫通凹部   
１０  左凹部   
１１  後凹部   
１２  右凹部   
１３  折れ片   
１４  蓋片   
１５  枠   
２０  保持片   
２２  上片   
２３  内縦片   
２４  彎曲部   
２５  外縦片   
２６  縦凸条   
２７  開口部 
２８  引き出し片   
３０  光モジュール   
３２  光ファイバ   
３３  光素子ケース   
３４  光コネクタ 
３５  中光素子 
３６  右光素子 
３７  左光素子 
３８  内輪外周 
３９  外縁内周 
４０  中央内壁 
４２  指入れ穴 
４３  内円弧溝 
４４  外円弧溝 
４５  内円弧柱
４６  内円錐溝 
４７  外円錐溝 
４８  外円弧柱
５０  上下折曲部 
６０  保持片 
６２  開き舌片 
６３  彎曲把持部 
６８  凸条 
６９  凸条 
７０  凹条
７２  凹条
【図１】
0005067615.tif 000002
【図２】
0005067615.tif 000003
【図３】
0005067615.tif 000004
【図４】
0005067615.tif 000005
【図５】
0005067615.tif 000006
【図６】
0005067615.tif 000007
【図７】
0005067615.tif 000008
【図８】
0005067615.tif 000009
【図９】
0005067615.tif 000010
【図１０】
0005067615.tif 000011
【図１１】
0005067615.tif 000012
【図１２】
0005067615.tif 000013
【図１３】
0005067615.tif 000014
【図１４】
0005067615.tif 000015
【図１５】
0005067615.tif 000016